(57)【要約】【課題】ユーザの負担を軽減する。【解決手段】設定値に基づき用紙に画像を形成する画像形成装置であって、複数の設定項目のそれぞれに対する設定値を受け付けるための設定画面を、表示部に表示させる表示制御部と、複数の設定項目のうち、第１項目、第２項目および第３項目のそれぞれに対する設定値を、設定画面を介してユーザから受け付ける受付部と、受け付けた第１項目および第２項目に対する設定値に基づき、第３項目に対する推奨設定値を特定する特定部と、を備え、表示制御部は、ユーザから第１項目および第２項目に対する設定値を受け付けた場合、推奨設定値に基づいて、設定画面に含まれる第３項目に対する設定値を受け付けるための情報の表示を制御する。【選択図】図２
2020151957.tif 000002
【特許請求の範囲】
【請求項１】
設定値に基づき用紙に画像を形成する画像形成装置であって、
複数の設定項目のそれぞれに対する設定値を受け付けるための設定画面を、表示部に表示させる表示制御部と、
前記複数の設定項目のうち、第１項目、第２項目および第３項目のそれぞれに対する設定値を、前記設定画面を介してユーザから受け付ける受付部と、
受け付けた前記第１項目および前記第２項目に対する設定値に基づき、前記第３項目に対する推奨設定値を特定する特定部と、
を備え、
前記表示制御部は、前記ユーザから前記第１項目および前記第２項目に対する設定値を受け付けた場合、前記推奨設定値に基づいて、前記設定画面に含まれる前記第３項目に対する設定値を受け付けるための情報の表示を制御する
画像形成装置。
【請求項２】
前記表示制御部は、
前記第３項目に対する設定値を受け付けるための情報として、前記第３項目に対して受付可能な複数の設定値のうちの何れか１つを前記ユーザに選択させる選択肢情報を、前記設定画面に含め、
前記第１項目および前記第２項目に対する設定値を受け付けた場合、前記選択肢情報に含まれる前記推奨設定値を選択させるための選択肢を強調する
請求項１に記載の画像形成装置。
【請求項３】
前記選択肢情報は、リスト状に並べられ且つ何れか１つが選択される、前記第３項目に対して受付可能な前記複数の設定値を含み、
前記表示制御部は、前記選択肢情報に含まれる前記推奨設定値を強調する
請求項２に記載の画像形成装置。
【請求項４】
前記選択肢情報は、印刷後の前記用紙を表すプレビュー画像と、前記プレビュー画像における、前記第３項目に対して受付可能な前記複数の設定値のそれぞれに対応する位置に複数の選択マークとを含み、
前記表示制御部は、前記複数の選択マークのうち、前記推奨設定値に対応する位置における選択マークを強調する
請求項２に記載の画像形成装置。
【請求項５】
前記受付部は、元原稿に関する元原稿情報を前記設定画面を介して前記ユーザから受け付け、
前記特定部は、さらに前記元原稿情報に基づき、前記推奨設定値を特定する
請求項１から４の何れか１項に記載の画像形成装置。
【請求項６】
前記第１項目および前記第２項目は、両面印刷の設定項目および集約印刷の設定項目であり、前記第３項目は、ステープルまたはパンチの設定項目である
請求項１から５の何れか１項に記載の画像形成装置。
【請求項７】
前記特定部は、前記両面印刷の設定項目に対する設定値および前記集約印刷の設定項目に対する設定値に基づき、前記ステープルまたは前記パンチの設定項目に対する前記推奨設定値として、受け付けた設定値で印刷した前記用紙を綴じた場合に元原稿におけるページ順序で画像を参照することができる位置を特定する
請求項６に記載の画像形成装置。
【請求項８】
前記第１項目および前記第２項目は、ステープルまたはパンチの設定項目および両面印刷の設定項目であり、前記第３項目は、集約印刷の設定項目である
請求項１から５の何れか１項に記載の画像形成装置。
【請求項９】
前記特定部は、前記ステープルまたは前記パンチの設定項目に対する設定値、および、前記両面印刷の設定項目に対する設定値に基づき、前記集約印刷の設定項目に対する前記推奨設定値として、受け付けた設定値で印刷した前記用紙を綴じた場合に元原稿におけるページ順序で画像を参照することができる集約枚数および並び方向の組み合わせを特定する
請求項８に記載の画像形成装置。
【請求項１０】
前記第１項目および前記第２項目は、ステープルまたはパンチの設定項目および集約印刷の設定項目であり、前記第３項目は、両面印刷の設定項目である
請求項１から５の何れか１項に記載の画像形成装置。
【請求項１１】
前記特定部は、前記ステープルまたは前記パンチの設定項目に対する設定値、および、前記集約印刷の設定項目に対する設定値に基づき、前記両面印刷の設定項目に対する前記推奨設定値として、受け付けた設定値で印刷した前記用紙を綴じた場合に元原稿におけるページ順序で画像を参照することができる両面開きの方向を特定する
請求項１０に記載の画像形成装置。
【請求項１２】
前記複数の設定項目に対して設定された設定値に基づき、前記用紙に画像を形成するプリンタ部をさらに備える
請求項１から１１の何れか１項に記載の画像形成装置。
【請求項１３】
設定値に基づき用紙に画像を形成する画像形成装置を制御するための情報処理方法であって、
複数の設定項目のそれぞれに対する設定値を受け付けるための設定画面を、表示部に表示させる表示制御ステップと、
前記複数の設定項目のうち、第１項目、第２項目および第３項目のそれぞれに対する設定値を、前記設定画面を介してユーザから受け付ける受付ステップと、
受け付けた前記第１項目および前記第２項目に対する設定値に基づき、前記第３項目に対する推奨設定値を特定する特定ステップと、
を含み、
前記表示制御ステップにおいて、前記ユーザから前記第１項目および前記第２項目に対する設定値を受け付けた場合、前記推奨設定値に基づいて、前記設定画面に含まれる前記第３項目に対する設定値を受け付けるための情報の表示を制御する
情報処理方法。
【請求項１４】
設定値に基づき用紙に画像を形成する画像形成装置を制御するためのコントローラにおいて実行されるプログラムであって、
前記コントローラを、
複数の設定項目のそれぞれに対する設定値を受け付けるための設定画面を、表示部に表示させる表示制御部と、
前記複数の設定項目のうち、第１項目、第２項目および第３項目のそれぞれに対する設定値を、前記設定画面を介してユーザから受け付ける受付部と、
受け付けた前記第１項目および前記第２項目に対する設定値に基づき、前記第３項目に対する推奨設定値を特定する特定部と、
して機能させ、
前記表示制御部は、前記ユーザから前記第１項目および前記第２項目に対する設定値を受け付けた場合、前記推奨設定値に基づいて、前記設定画面に含まれる前記第３項目に対する設定値を受け付けるための情報の表示を制御する
プログラム。
【発明の詳細な説明】
【技術分野】
【０００１】
本発明は、画像形成装置、情報処理方法およびプログラムに関する。
【背景技術】
【０００２】
従来より、スキャン機能、プリント機能、ステープル機能およびパンチ機能を有する複合機が知られている。
【０００３】
引用文献１には、両面印刷、集約印刷、ステープルおよびパンチ等の設定項目に対して、画面を介して設定値を受け付ける複合機が記載されている。そして、引用文献１に記載された複合機は、これらの設定項目に対して受け付けた設定値に従って、両面印刷、集約印刷、ステープルおよびパンチ等の処理を実行する。
【発明の概要】
【発明が解決しようとする課題】
【０００４】
ところで、このような複合機により、例えば、両面印刷および集約印刷をした用紙をステープルまたはパンチにより綴じる場合、ユーザは、両面印刷の開き方向および集約印刷の集約枚数および画像の並び方向の組み合わせを考慮して、綴じ位置を設定するように、画像形成に関する２つの設定項目の設定値の組み合わせを考慮して、他の設定項目の設定値を判断することは、ユーザにとって大きな負担となっていた。
【０００５】
本発明は、上記に鑑みてなされたものであって、ユーザの負担を軽減することができる画像形成装置、情報処理方法およびプログラムを提供することを目的とする。
【課題を解決するための手段】
【０００６】
上述した課題を解決し、目的を達成するために、本発明は、設定値に基づき用紙に画像を形成する画像形成装置であって、複数の設定項目のそれぞれに対する設定値を受け付けるための設定画面を、表示部に表示させる表示制御部と、前記複数の設定項目のうち、第１項目、第２項目および第３項目のそれぞれに対する設定値を、前記設定画面を介してユーザから受け付ける受付部と、受け付けた前記第１項目および前記第２項目に対する設定値に基づき、前記第３項目に対する推奨設定値を特定する特定部と、を備え、前記表示制御部は、前記ユーザから前記第１項目および前記第２項目に対する設定値を受け付けた場合、前記推奨設定値に基づいて、前記設定画面に含まれる前記第３項目に対する設定値を受け付けるための情報の表示を制御する。
【発明の効果】
【０００７】
本発明によれば、ユーザの負担を軽減することができるという効果を奏する。
【図面の簡単な説明】
【０００８】
【図１】図１は、実施形態に係る複合機１０のハードウェア構成を示す図である。
【図２】図２は、実施形態に係るコントローラ９１０の機能構成を示す図である。
【図３】図３は、コピー機能の開始時における、複合機１０の処理の流れを示すシーケンス図である。
【図４】図４は、メイン設定画面１１０を示す図である。
【図５】図５は、両面／集約／分割設定画面１２０を示す図である。
【図６】図６は、仕上げ画面１３０を示す図である。
【図７】図７は、ステープル設定画面１４０を示す図である。
【図８】図８は、パンチ設定画面１５０を示す図である。
【図９】図９は、複合機１０による設定画面の表示処理の流れを示すシーケンス図である。
【図１０】図１０は、ステープル設定画面１４０の表示要求を受け付けた場合における、推奨設定値を特定する処理の流れの一例を示すフローチャートである。
【図１１】図１１は、推奨設定値が強調されたステープル設定画面１４０を示す図である。
【図１２】図１２は、推奨設定値が強調されたパンチ設定画面１５０を示す図である。
【図１３】図１３は、推奨設定値が強調されたプレビュー画面１６０を示す図である。
【図１４】図１４は、複合機１０における設定画面の遷移の第１例を示す図である。
【図１５】図１５は、複合機１０における設定画面の遷移の第２例を示す図である。
【図１６】図１６は、複合機１０における設定画面の遷移の第３例を示す図である。
【発明を実施するための形態】
【０００９】
以下に、本発明に係る実施形態の複合機１０を図面に基づいて詳細に説明する。なお、この実施形態によりこの発明が限定されるものではない。
【００１０】
実施形態に係る複合機１０は、用紙に画像を形成する画像形成装置の一例である。複合機１０は、ＭＦＰ（Multifunction  Peripheral  ／Product  ／Printer）と略して呼ばれる場合もある。
【００１１】
実施形態に係る複合機１０は、元原稿に印刷された画像を読み取るスキャナ機能、および、読み取った画像を用紙に印刷するプリント機能を有する。さらに、実施形態に係る複合機１０は、画像が印刷された１または複数の用紙に対して後処理を実行する機能を有する。例えば、複合機１０は、後処理機能として、画像が印刷された１または複数の用紙をステープルにより綴じるステープル機能を有する。例えば、複合機１０は、後処理機能として、画像が印刷された１または複数の用紙を紐等で綴じるためのパンチ穴をあけるパンチ機能を有する。なお、複合機１０は、さらに、通信機能、ファクシミリ機能および情報処理機能等の他の機能を有していてもよい。
【００１２】
図１は、実施形態に係る複合機１０のハードウェア構成を示す図である。複合機１０は、コントローラ９１０と、プリンタスキャナエンジン９２０と、後処理機構９３０と、操作パネル９４０と、ネットワークＩ／Ｆ９５０とを備える。
【００１３】
コントローラ９１０は、複合機１０の全体を制御する。コントローラ９１０は、例えば、複数の設定項目に対して設定された設定値に基づき動作するように、複合機１０の全体を制御する。
【００１４】
コントローラ９１０は、コンピュータの主要部であるＣＰＵ９０１（Central  Processing  Unit）、システムメモリ９０２（ＭＥＭ−Ｐ）、ノースブリッジ９０３（ＮＢ）、サウスブリッジ９０４（ＳＢ）、ＡＳＩＣ９０６（Application  Specific  Integrated  Circuit）、記憶部であるローカルメモリ９０７（ＭＥＭ−Ｃ）、ＨＤＤコントローラ９０８、および、記憶部であるハードディスク９０９（ＨＤ）を有する。ノースブリッジ９０３とＡＳＩＣ９０６との間は、ＡＧＰバス９１１（Accelerated  Graphics  Port）により接続される。
【００１５】
ＣＰＵ９０１は、複合機１０の全体を制御する。ノースブリッジ９０３は、ＣＰＵ９０１と、システムメモリ９０２、サウスブリッジ９０４およびＡＧＰバス９１１とを接続するためのブリッジである。ノースブリッジ９０３は、システムメモリ９０２に対する読み書きなどを制御するメモリコントローラ、ＰＣＩ（Peripheral  Component  Interconnect）マスタおよびＡＧＰターゲットを有する。
【００１６】
システムメモリ９０２は、コントローラ９１０の各機能を実現させるプログラムやデータの格納用メモリであるＲＯＭ９０２ａ（Read  Only  Memory）、および、プログラムやデータの展開、およびメモリ印刷時の描画用メモリなどとして用いるＲＡＭ９０２ｂ（Random  Access  Memory）を含む。なお、ＲＡＭ９０２ｂに記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供するように構成してもよい。
【００１７】
サウスブリッジ９０４は、ノースブリッジ９０３とＰＣＩデバイス、周辺デバイスとを接続するためのブリッジである。
【００１８】
ＡＳＩＣ９０６は、画像処理用のハードウェア要素を有する画像処理用途向けのＩＣ（Integrated  Circuit）である。ＡＳＩＣ９０６は、ＡＧＰバス９１１、ＰＣＩバス９１２、ＨＤＤコントローラ９０８およびローカルメモリ９０７を接続するブリッジの役割を有する。ＡＳＩＣ９０６は、ＰＣＩターゲット、ＡＧＰマスタ、ＡＳＩＣ９０６の中核をなすアービタ（ＡＲＢ）、ローカルメモリ９０７を制御するメモリコントローラ、複数のＤＭＡＣ（Direct  Memory  Access  Controller）、並びに、ＰＣＩユニットを含む。ＤＭＡＣ（Direct  Memory  Access  Controller）は、ハードウェアロジックなどにより画像データの回転などを行う。ＰＣＩユニットは、プリンタスキャナエンジン９２０および後処理機構９３０との間でＰＣＩバス９１２を介したデータ転送を行う。
【００１９】
なお、ＡＳＩＣ９０６には、ＵＳＢ（Universal  Serial  Bus）のインターフェースや、ＩＥＥＥ１３９４（Institute  of  Electrical  and  Electronics  Engineers  1394）のインターフェースを接続するようにしてもよい。
【００２０】
ローカルメモリ９０７は、コピー用画像バッファおよび符号バッファとして用いるメモリである。ＨＤ９０９は、画像データの蓄積、印刷時に用いるフォントデータの蓄積、フォームの蓄積を行うためのストレージである。ＨＤＤコントローラ９０８は、ＣＰＵ９０１の制御に従ってＨＤ９０９に対するデータの読出又は書込を制御する。
【００２１】
ＡＧＰバス９１１は、グラフィック処理を高速化するために提案されたグラフィックスアクセラレータカード用のバスインタフェースである。ＡＧＰバス９１１は、システムメモリ９０２に高スループットで直接アクセスすることにより、グラフィックスアクセラレータカードを高速にすることができる。
【００２２】
プリンタスキャナエンジン９２０は、スキャナ機能およびプリンタ機能を実現するためのハードウェア機構である。プリンタスキャナエンジン９２０は、スキャナ部９２１およびプリンタ部９２２を有する。スキャナ部９２１およびプリンタ部９２２のそれぞれは、コントローラ９１０の制御に応じて動作をする。スキャナ部９２１は、コントローラ９１０から受け取った設定値に基づき、用紙に印刷されている画像を取り込んで、画像データを生成する。プリンタ部９２２は、コントローラ９１０から受け取った設定値に基づき、用紙に画像を形成する。スキャナ部９２１およびプリンタ部９２２内の制御回路は、ＰＣＩバス９１２を介してコントローラ９１０と情報のやり取りをする。
【００２３】
後処理機構９３０は、後処理機能を実現するためのハードウェア機構である。例えば、後処理機構９３０は、ステープル機能およびパンチ機能を実現するためのハードウェア機構である。本実施形態において、後処理機構９３０は、ステープル部９３１およびパンチ部９３２を有する。ステープル部９３１およびパンチ部９３２のそれぞれは、コントローラ９１０の制御に応じて動作をする。ステープル部９３１は、コントローラ９１０から受け取った設定値に基づき、プリンタ部９２２により画像が印刷された１または複数の用紙を、ステープルにより綴じる。パンチ部９３２は、コントローラ９１０から受け取った設定値に基づき、プリンタ部９２２により画像が印刷された１または複数の用紙に、紐等で綴じるためのパンチ穴をあける。ステープル部９３１およびパンチ部９３２内の制御回路は、ＰＣＩバス９１２を介してコントローラ９１０と情報のやり取りをする。
【００２４】
操作パネル９４０は、ユーザに情報を表示し、ユーザからの操作情報を受け付けることが可能なタッチパネル等の表示部９４０ａを有する。表示部９４０ａは、コントローラ９１０の制御に応じて情報を表示し、ユーザから受け付けた操作情報をコントローラ９１０に送信する。
【００２５】
表示部９４０ａは、コントローラ９１０の制御に応じて、複数の設定項目のそれぞれ毎に、ユーザにより入力された設定値を受け付けるための設定画面を表示する。設定画面は、複数の設定項目のそれぞれについて、受付可能な複数の設定値の中から１つの設定値を選択させるための選択肢情報を含んでもよい。さらに、設定画面は、受付可能な複数の設定値のうちユーザに対して推奨する１または複数の推奨設定値を強調する情報を含んでもよい。
【００２６】
また、設定画面は、現在の設定値（例えばデフォルトの設定値）をユーザに認識させるような情報を含んでもよい。また、設定画面は、コピーの開始指示を受け付けるスタートキーを含んでもよい。
【００２７】
また、操作パネル９４０は、ユーザからの操作を受け付ける操作キー９４０ｂを有する。操作キー９４０ｂは、設定値を数値等で受け付けるテンキーおよびコピーの開始指示を受け付けるスタートキー等を含む。操作パネル９４０は、表示部９４０ａに対してユーザが入力した設定値および操作情報、並びに、操作キー９４０ｂに対してユーザが入力した設定値および操作情報をコントローラ９１０に送信する。
【００２８】
ネットワークＩ／Ｆ９５０は、通信ネットワークを利用してデータ通信をするためのインターフェースである。ネットワークＩ／Ｆ９５０は、ＰＣＩバス９１２を介して、コントローラ９１０と情報をやり取りする。
【００２９】
このような複合機１０は、操作パネル９４０のアプリケーション切り替えキーにより、実行する機能を切り替える。例えば、複合機１０は、ドキュメントボックス機能、コピー機能、プリンタ機能、およびファクシミリ機能の何れかに、実行する機能を切り替える。
【００３０】
図２は、実施形態に係るコントローラ９１０の機能構成を示す図である。複合機１０がコピー機能を実行する場合、コントローラ９１０は、表示制御部２２と、受付部２４と、管理部２６と、特定部２８とを有する。
【００３１】
例えば、ＣＰＵ９０１がコピーアプリケーションプログラムを実行することにより、コントローラ９１０は、表示制御部２２および受付部２４として機能する。また、例えば、ＣＰＵ９０１がコピー管理モジュールを実行することにより、コントローラ９１０は、特定部２８として機能する。また、例えば、ＣＰＵ９０１がエンジン管理モジュールを実行することにより、コントローラ９１０は、管理部２６として機能する。
【００３２】
表示制御部２２は、コピー機能に関する複数の設定項目のそれぞれに対する設定値を、ユーザから受け付けるための設定画面を、操作パネル９４０の表示部９４０ａに表示させる。設定画面は、１枚の画面データのみならず、例えばボタン等において遷移する複数の画面データの組み合わせにより実現されてもよい。
【００３３】
表示制御部２２は、設定項目毎に、設定値を受け付けるための情報を設定画面に含める。例えば、表示制御部２２は、特定部２８から、設定項目毎に、複合機１０が受付可能な複数の設定値を取得する。そして、表示制御部２２は、設定項目毎に、受付可能な複数の設定値のうちの何れか１つの設定値をユーザに選択させるための選択肢情報を、設定画面に含める。これにより、ユーザは、表示部９４０ａまたは操作キー９４０ｂを操作することにより、設定項目毎に、設定画面に含まれる選択肢情報の中から１つの設定値を選択することができる。
【００３４】
コピー機能に関する複数の設定項目は、例えば、両面印刷の設定項目、集約印刷の設定項目、および、ステープルまたはパンチの設定項目等を含む。
【００３５】
例えば、設定画面は、両面印刷の設定項目について、例えば、片面印刷をすることを示す設定値、左右開きの両面印刷をすることを示す設定値、および、上下開きの両面印刷をすることを示す設定値のうち、何れか１つを選択させる選択肢情報を含む。また、設定画面は、集約印刷の設定項目について、例えば、１枚の用紙に１枚の画像を含めることを示す設定値、および、１枚の用紙に含める画像の集約枚数および並び方向の組み合わせを示す複数の設定値のうち、何れか１つを選択させる選択肢情報を含む。また、設定画面は、ステープルまたはパンチの設定項目について、例えば、用紙にステープルまたはパンチをしないことを示す設定値、および、ステープルまたはパンチをする位置を示す複数の設定値のうち、何れか１つを選択させる選択肢情報を含む。
【００３６】
また、設定画面は、さらに、元原稿に関する元原稿情報をユーザから受け付けるための画面であってもよい。例えば、設定画面は、元原稿が縦置きか、横置きかを選択させる選択肢情報を含む。また、設定画面は、元原稿が、片面印刷されているか、左右開きの両面印刷がされているか、または、上下開きの両面印刷がされているかを選択させる選択肢情報を含む。
【００３７】
また、表示制御部２２は、ユーザからコピーの開始指示を受け付けるためのスタートキーを表示部９４０ａに表示してもよい。
【００３８】
受付部２４は、コピー機能に関する複数の設定項目のそれぞれに対する設定値を、設定画面を介してユーザから受け付ける。例えば、受付部２４は、複数の設定項目のそれぞれ毎に、選択肢情報の中から選択された１つの設定値を受け付ける。
【００３９】
例えば、受付部２４は、両面印刷の設定項目に対する設定値、集約印刷の設定項目に対する設定値、および、ステープルまたはパンチの設定項目に対する設定値を、設定画面を介して受け付ける。例えば、受付部２４は、両面印刷の設定項目に対して、片面印刷をすることを示す設定値、左右開きの両面印刷をすることを示す設定値、または、上下開きの両面印刷をすることを示す設定値の何れかを受け付ける。また、例えば、受付部２４は、集約印刷の設定項目に対して、１枚の用紙に１枚の画像を含めることを示す設定値、または、１枚の用紙に含める画像の集約枚数および並び方向の組み合わせを示す複数の設定値の何れかを受け付ける。また、例えば、受付部２４は、ステープルまたはパンチの設定項目に対して、用紙にステープルまたはパンチをしないことを示す設定値、または、ステープルまたはパンチをする位置を示す複数の設定値の何れかを受け付ける。
【００４０】
また、受付部２４は、元原稿に関する元原稿情報を、設定画面を介してユーザから受け付けてもよい。例えば、受付部２４は、元原稿が縦置きか横置きかを示す元原稿方向情報を、元原稿情報として設定画面を介してユーザから受け付けてもよい。さらに、受付部２４は、元原稿が、片面印刷されているか、左右開きの両面印刷がされているか、または、上下開きの両面印刷がされているかを示す元原稿両面印刷情報を、元原稿情報として設定画面を介してユーザから受け付けてもよい。
【００４１】
また、受付部２４は、コピーの開始指示を操作パネル９４０から受け付ける。例えば、受付部２４は、操作パネル９４０の操作キー９４０ｂに含まれるスタートキーが操作された場合、または、表示部９４０ａに表示されたスタートキーが操作された場合、コピーの開始指示を受け付ける。受付部２４は、コピーの開始指示を受け付けた場合、コピー機能に関する複数の設定項目のそれぞれに対する設定値とともに、コピーの開始命令を管理部２６に与える。
【００４２】
管理部２６は、スキャナ部９２１、プリンタ部９２２、ステープル部９３１およびパンチ部９３２の動作を制御する。
【００４３】
管理部２６は、受付部２４からコピーの開始命令を取得した場合、スキャナ部９２１にスキャン開始指示を与える。この場合、管理部２６は、コピー機能に関する複数の設定項目のうちスキャナ機能に関する設定項目に対する設定値を、スキャナ部９２１に与える。スキャナ部９２１は、与えられた設定値に基づき、原稿をスキャンして画像を取り込む。管理部２６は、スキャナ部９２１から、取り込んだ画像を表す画像データを取得する。
【００４４】
スキャナ部９２１から画像データを取得した後、管理部２６は、プリンタ部９２２に、取り込んだ画像データおよび印刷開始指示を与える。この場合、管理部２６は、コピー機能に関する複数の設定項目のうちプリンタ機能に関する設定項目に対する設定値を、プリンタ部９２２に与える。プリンタ部９２２は、与えられた設定値および画像データに基づき、用紙に画像を形成する。
【００４５】
また、コピー機能に関する複数の設定項目において、ステープル機能を動作させることが設定されている場合、プリンタ部９２２が処理を終了した後、管理部２６は、ステープル部９３１にステープル開始指示を与える。この場合、管理部２６は、ステープル機能に関する設定項目に対する設定値を、ステープル部９３１に与える。ステープル部９３１は、与えられた設定値に基づき、１または用紙をステープルにより綴じる。
【００４６】
また、コピー機能に関する複数の設定項目において、パンチ機能を動作させることが設定されている場合、プリンタ部９２２が処理を終了した後、管理部２６は、パンチ部９３２にパンチ開始指示を与える。この場合、管理部２６は、パンチ機能に関する設定項目に対する設定値を、パンチ部９３２に与える。パンチ部９３２は、与えられた設定値に基づき、１または用紙にパンチ穴を開ける。
【００４７】
また、複合機１０におけるコピー機能の実行開始時において、管理部２６は、スキャナ部９２１、プリンタ部９２２、ステープル部９３１およびパンチ部９３２から、それぞれが実行可能な機能を示す情報を取得する。管理部２６は、それぞれから取得した実行可能な機能を示す情報をまとめたリスト情報を生成して、特定部２８に与える。
【００４８】
特定部２８は、管理部２６から実行可能なコピー機能のリスト情報を取得する。特定部２８は、取得したリスト情報に基づき、コピー機能に関する複数の設定項目のそれぞれについて、受付可能な複数の設定値を生成する。そして、特定部２８は、複数の設定項目のそれぞれについての受付可能な複数の設定値を、表示制御部２２に与える。
【００４９】
ここで、受付部２４は、コピー機能に関する複数の設定項目のうち、予め定められた第１項目、第２項目および第３項目のそれぞれに対する設定値を、設定画面を介してユーザから受け付ける。この場合、特定部２８は、受け付けた第１項目および第２項目に対する設定値に基づき、第３項目に対する推奨設定値を特定する。
【００５０】
また、受付部２４は、元原稿に関する元原稿情報を設定画面を介してユーザから受け付けてもよい。この場合、特定部２８は、さらに元原稿情報に基づき、推奨設定値を特定してもよい。
【００５１】
推奨設定値は、第３項目に対して受付可能な複数の設定値のうちの、第１項目および第２項目に対する設定値により用紙に画像が形成された場合において適切である設定値である。例えば、推奨設定値は、第３項目に対して受付可能な複数の設定値のうちの、第１項目および第２項目に対する設定値により用紙に画像が形成された場合に矛盾無く画像が参照できる設定値である。矛盾無く参照できるとは、例えば、その設定値で画像形成をした場合において、画像の表示順序が元原稿と同一であること、および、全ての画像の方向が元原稿と同一であること等である。
【００５２】
そして、ユーザから第１項目および第２項目に対する設定値を受け付けた場合、表示制御部２２は、推奨設定値に基づいて、設定画面に含まれる第３項目に対する設定値を受け付けるための情報の表示を制御する。これにより、表示制御部２２は、第３項目に対する推奨設定値をユーザに認識させ、ユーザの入力負担を軽減することができる。
【００５３】
例えば、表示制御部２２は、第３項目に対する設定値を受け付けるための情報として、第３項目に対して受付可能な複数の設定値のうちの何れか１つをユーザに選択させる選択肢情報を、設定画面に含める。そして、表示制御部２２は、第１項目および第２項目に対する設定値を受け付けた場合、選択肢情報に含まれる推奨設定値を選択させるための選択肢を強調する。
【００５４】
例えば、選択肢情報は、リスト状に並べられ且つ何れか１つが選択される、第３項目に対して受付可能な複数の設定値を含んでもよい。この場合、表示制御部２２は、選択肢情報に含まれるまれるおける推奨設定値を強調する。
【００５５】
また、例えば、選択肢情報は、印刷後の用紙を表すプレビュー画像と、プレビュー画像における、第３項目に対して受付可能な複数の設定値のそれぞれに対応する位置に複数の選択マークとを含んでもよい。この場合、表示制御部２２は、複数の選択マークのうち、推奨設定値に対応する位置における選択マークを強調する。
【００５６】
このように推奨設定値を選択させるための選択肢を強調することにより、表示制御部２２は、適切な設定値（画像を矛盾無く参照できる設定値）を、ユーザに容易に選択させることができる。さらに、推奨設定値ではない設定値も選択可能とするので、表示制御部２２は、ユーザが適切でない設定値の選択を希望する場合には、ユーザの好みに応じた設定値も選択させることができる。
【００５７】
より具体的には、例えば、第１項目および第２項目は、両面印刷の設定項目および集約印刷の設定項目であり、第３項目は、ステープルまたはパンチの設定項目であってもよい。この場合、特定部２８は、両面印刷の設定項目に対する設定値および集約印刷の設定項目に対する設定値に基づき、ステープルまたはパンチの設定項目に対する推奨設定値を特定する。例えば、特定部２８は、ステープルまたはパンチの設定項目に対する推奨設定値として、受け付けた設定値で印刷した用紙を綴じた場合に、元原稿におけるページ順序で画像を参照することができる位置を特定する。
【００５８】
また、例えば、第１項目および第２項目は、ステープルまたはパンチの設定項目および両面印刷の設定項目であり、第３項目は、集約印刷の設定項目であってもよい。この場合、特定部２８は、ステープルまたはパンチの設定項目に対する設定値、および、両面印刷の設定項目に対する設定値に基づき、集約印刷の設定項目に対する推奨設定値を特定する。例えば、特定部２８は、集約印刷の設定項目に対する推奨設定値として、受け付けた設定値で印刷した用紙を綴じた場合に、元原稿におけるページ順序で画像を参照することができる集約枚数および並び方向の組み合わせを特定する。
【００５９】
また、例えば、第１項目および第２項目は、ステープルまたはパンチの設定項目および集約印刷の設定項目であり、第３項目は、両面印刷の設定項目であってもよい。この場合、特定部２８は、ステープルまたはパンチの設定項目に対する設定値、および、集約印刷の設定項目に対する設定値に基づき、両面印刷の設定項目に対する推奨設定値を特定する。例えば、特定部２８は、両面印刷の設定項目に対する推奨設定値として、受け付けた設定値で印刷した用紙を綴じた場合に元原稿におけるページ順序で画像を参照することができる両面開きの方向を特定する。
【００６０】
図３は、コピー機能の開始時における、複合機１０の処理の流れを示すシーケンス図である。複合機１０は、コピー機能が選択された場合、図３に示すような流れで処理を実行する。
【００６１】
まず、Ｓ１１１において、ユーザは、操作パネル９４０を操作して、コピー機能の起動を指示する。続いて、Ｓ１１２において、受付部２４は、特定部２８に対して、コピー機能情報の通知を要求する。続いて、Ｓ１１３において、特定部２８は、管理部２６に対して、実行可能なコピー機能の通知を要求する。
【００６２】
続いて、Ｓ１１４において、管理部２６は、スキャナ部９２１に対して、実行可能なスキャン機能の通知を要求する。続いて、Ｓ１１５において、スキャナ部９２１は、実行可能なスキャナ機能を管理部２６に通知する。例えば、スキャナ部９２１は、片面スキャンが実行可能であること、両面スキャンが実行可能であること、および、カラースキャンが実行可能であること等を管理部２６に通知する。
【００６３】
続いて、Ｓ１１６において、管理部２６は、プリンタ部９２２に対して、実行可能なプリンタ機能の通知を要求する。続いて、Ｓ１１７おいて、プリンタ部９２２は、実行可能なプリンタ機能を管理部２６に通知する。例えば、プリンタ部９２２は、片面印刷が実行可能であること、両面印刷が実行可能であること、カラー印刷が実行可能であること、および、集約印刷が実行可能であること等を管理部２６に通知する。
【００６４】
続いて、Ｓ１１８において、管理部２６は、後処理機構９３０に対して、実行可能な機能の通知を要求する。続いて、Ｓ１１９おいて、後処理機構９３０は、実行可能な後処理機能を管理部２６に通知する。例えば、後処理機構９３０は、上１カ所、斜め、下１カ所、左２カ所、下２カ所、右２カ所のステープルが可能であること、および、上２カ所、下２カ所、左２カ所のパンチが可能であること等を管理部２６に通知する。
【００６５】
続いて、Ｓ１２０において、管理部２６は、実行可能なコピー機能のリスト情報を特定部２８に通知する。続いて、Ｓ１２１において、特定部２８は、実行可能なコピー機能を示すコピー機能情報を表示制御部２２に通知する。続いて、Ｓ１２２において、表示制御部２２は、コピー機能に関する複数の設定項目のそれぞれに対する設定値をユーザから受け付けるための設定画面を生成し、生成した設定画面を表示部９４０ａに表示させる。
【００６６】
図４は、メイン設定画面１１０を示す図である。表示制御部２２は、設定画面の一例として、図４に示すようなメイン設定画面１１０を表示部９４０ａに表示させる。
【００６７】
メイン設定画面１１０は、スタートキーボタン１１１を含む。スタートキーボタン１１１は、ユーザからコピーの開始指示を受け付けるための操作ボタンである。受付部２４は、ユーザによりスタートキーボタン１１１が押された場合、コピーの開始命令を管理部２６に与える。
【００６８】
また、メイン設定画面１１０は、両面／集約／分割ボタン１１２を含む。両面／集約／分割ボタン１１２は、両面／集約／分割設定画面１２０（詳細を図５で説明）へと画面遷移させるためのボタンである。表示制御部２２は、ユーザにより両面／集約／分割ボタン１１２が押された場合、両面／集約／分割設定画面１２０を表示部９４０ａに表示させる。
【００６９】
また、メイン設定画面１１０は、仕上げボタン１１３を含む。仕上げボタン１１３は、仕上げ画面１３０（詳細を図６で説明）へと画面遷移させるためのボタンである。表示制御部２２は、ユーザにより仕上げボタン１１３が押された場合、仕上げ画面１３０を表示部９４０ａに表示させる。
【００７０】
図５は、両面／集約／分割設定画面１２０を示す図である。表示制御部２２は、設定画面の一例として、図５に示すような両面／集約／分割設定画面１２０を表示部９４０ａに表示させる。
【００７１】
両面／集約／分割設定画面１２０は、元原稿方向選択ボタン群１２１を含む。元原稿方向選択ボタン群１２１は、元原稿が縦置きか、横置きかの選択を受け付けるためのユーザインターフェイスである。受付部２４は、元原稿方向選択ボタン群１２１における選択状態を取得することにより、元原稿方向情報を取得することができる。
【００７２】
また、両面／集約／分割設定画面１２０は、元原稿両面印刷情報選択ボタン群１２２を含む。元原稿両面印刷情報選択ボタン群１２２は、元原稿が、片面印刷されているか、左右開きの両面印刷がされているか、または、上下開きの両面印刷がされているかの選択を受け付けるためのユーザインターフェイスである。受付部２４は、元原稿両面印刷情報選択ボタン群１２２における選択状態を取得することにより、元原稿両面印刷情報を取得することができる。
【００７３】
また、両面／集約／分割設定画面１２０は、両面印刷設定ボタン群１２３を含む。両面印刷設定ボタン群１２３は、両面印刷の設定項目に対して受付可能な複数の設定値のうちの何れか１つをユーザに選択させる選択肢情報である。例えば、図５の例において、両面印刷設定ボタン群１２３は、片面印刷をするか、左右開きの両面印刷をするか、または、上下開きの両面印刷をするかの選択を受け付けるためのユーザインターフェイスである。受付部２４は、両面印刷設定ボタン群１２３における選択状態を取得することにより、両面印刷の設定項目に対する設定値を受け付けることができる。
【００７４】
また、両面／集約／分割設定画面１２０は、集約印刷設定ボタン群１２４を含む。集約印刷設定ボタン群１２４は、集約印刷の設定項目に対して受付可能な複数の設定値のうちの何れか１つをユーザに選択させる選択肢情報である。例えば、図５の例において、集約印刷設定ボタン群１２４は、１枚の用紙に１枚の画像を含めるか（集約印刷をしないか）、または、１枚の用紙に含める画像の集約枚数および並び方向の組み合わせの選択を受け付けるためのユーザインターフェイスである。
【００７５】
集約印刷設定ボタン群１２４は、例えば、第１ボタン１２４−１〜第７ボタン１２４−７を含む。第１ボタン１２４−１は、１枚の用紙に１枚の画像を含めること（集約印刷をしないこと）を選択するボタンである。第２ボタン１２４−２は、１枚の用紙に２枚の画像を含め且つ右方向に並べること選択するボタンである。第３ボタン１２４−３は、１枚の用紙に４枚の画像を含め且つ右方向に並べること選択するボタンである。第４ボタン１２４−４は、１枚の用紙に８枚の画像を含め且つ右方向に並べること選択するボタンである。第５ボタン１２４−５は、１枚の用紙に２枚の画像を含め且つ左方向に並べること選択するボタンである。第６ボタン１２４−６は、１枚の用紙に４枚の画像を含め且つ左方向に並べること選択するボタンである。第７ボタン１２４−７は、１枚の用紙に８枚の画像を含め且つ左方向に並べること選択するボタンである。
【００７６】
また、両面／集約／分割設定画面１２０は、確定ボタン１２５を含む。確定ボタン１２５は、両面／集約／分割設定画面１２０で選択した情報および設定値を確定させるためのボタンである。ユーザにより確定ボタン１２５が押された場合、受付部２４は、両面／集約／分割設定画面１２０に入力された各情報を取得する。さらに、ユーザにより確定ボタン１２５が押された場合、表示制御部２２は、メイン設定画面１１０を表示部９４０ａに表示させる。
【００７７】
図６は、仕上げ画面１３０を示す図である。表示制御部２２は、設定画面の一例として、図６に示すような仕上げ画面１３０を表示部９４０ａに表示させる。
【００７８】
仕上げ画面１３０は、スタートキーボタン１１１を含む。仕上げ画面１３０のスタートキーボタン１１１も、メイン設定画面１１０と同様の機能を有する。
【００７９】
また、仕上げ画面１３０は、ステープルボタン１３１を含む。ステープルボタン１３１は、ステープル設定画面１４０（詳細を図７で説明）へと画面遷移させるためのボタンである。表示制御部２２は、ユーザによりステープルボタン１３１が押された場合、ステープル設定画面１４０を表示部９４０ａに表示させる。
【００８０】
また、仕上げ画面１３０は、パンチボタン１３２を含む。パンチボタン１３２は、パンチ設定画面１５０（詳細を図８で説明）へと画面遷移させるためのボタンである。表示制御部２２は、ユーザによりパンチボタン１３２が押された場合、パンチ設定画面１５０を表示部９４０ａに表示させる。
【００８１】
また、仕上げ画面１３０は、仕上げ画面内戻るボタン１３３を含む。仕上げ画面内戻るボタン１３３は、メイン設定画面１１０へと画面遷移させるためのボタンである。表示制御部２２は、ユーザにより仕上げ画面内戻るボタン１３３が押された場合、メイン設定画面１１０を表示部９４０ａに表示させる。
【００８２】
図７は、ステープル設定画面１４０を示す図である。表示制御部２２は、設定画面の一例として、図７に示すようなステープル設定画面１４０を表示部９４０ａに表示させる。
【００８３】
ステープル設定画面１４０は、スタートキーボタン１１１を含む。ステープル設定画面１４０のスタートキーボタン１１１も、メイン設定画面１１０と同様の機能を有する。
【００８４】
また、ステープル設定画面１４０は、ステープル設定ボタン群１４１を含む。ステープル設定ボタン群１４１は、ステープルの設定項目に対して受付可能な複数の設定値のうちの何れか１つをユーザに選択させる選択肢情報である。例えば、図７の例において、ステープル設定ボタン群１４１は、用紙にステープルをしないか、用紙の上１カ所をステープルで綴じるか、用紙を斜めにステープルで綴じるか、用紙の下１カ所をステープルで綴じるか、用紙の左２カ所をステープルで綴じるかの選択を受け付けるためのユーザインターフェイスである。受付部２４は、ステープル設定ボタン群１４１における選択状態を取得することにより、ステープルの設定項目に対する設定値を受け付けることができる。
【００８５】
また、ステープル設定画面１４０は、ステープル設定画面内戻るボタン１４２を含む。ステープル設定画面内戻るボタン１４２は、仕上げ画面１３０へと画面遷移させるためのボタンである。表示制御部２２は、ユーザによりステープル設定画面内戻るボタン１４２が押された場合、仕上げ画面１３０を表示部９４０ａに表示させる。
【００８６】
図８は、パンチ設定画面１５０を示す図である。表示制御部２２は、設定画面の一例として、図８に示すようなパンチ設定画面１５０を表示部９４０ａに表示させる。
【００８７】
パンチ設定画面１５０は、スタートキーボタン１１１を含む。パンチ設定画面１５０のスタートキーボタン１１１も、メイン設定画面１１０と同様の機能を有する。
【００８８】
また、パンチ設定画面１５０は、パンチ設定ボタン群１５１を含む。パンチ設定ボタン群１５１は、パンチの設定項目に対して受付可能な複数の設定値のうちの何れか１つをユーザに選択させる選択肢情報である。例えば、図８の例において、パンチ設定ボタン群１５１は、用紙にパンチをしないか、用紙の左２カ所をパンチで綴じるか、用紙の上２カ所をパンチで綴じるかの選択を受け付けるためのユーザインターフェイスである。受付部２４は、パンチ設定ボタン群１５１における選択状態を取得することにより、パンチの設定項目に対する設定値を受け付けることができる。
【００８９】
また、パンチ設定画面１５０は、パンチ設定画面内戻るボタン１５２を含む。パンチ設定画面内戻るボタン１５２は、仕上げ画面１３０へと画面遷移させるためのボタンである。表示制御部２２は、ユーザによりパンチ設定画面内戻るボタン１５２が押された場合、仕上げ画面１３０を表示部９４０ａに表示させる。
【００９０】
図９は、複合機１０による設定画面の表示処理の流れを示すシーケンス図である。複合機１０は、コピー機能が選択された場合、図９に示す流れで設定画面を表示する。まず、表示制御部２２は、メイン設定画面１１０を表示部９４０ａに表示させている。
【００９１】
Ｓ１３１において、ユーザは、操作パネル９４０を操作して、メイン設定画面１１０の両面／集約／分割ボタン１１２を押す。これにより、表示制御部２２は、両面／集約／分割設定画面１２０の表示要求を受け付ける。続いて、Ｓ１３２において、表示制御部２２は、両面／集約／分割設定画面１２０を表示部９４０ａに表示させる。
【００９２】
続いて、Ｓ１３３において、ユーザは、両面／集約／分割設定画面１２０に、元原稿方向情報、元原稿両面印刷情報、両面印刷の設定項目に対する設定値および集約印刷の設定項目に対する設定値を入力する。そして、ユーザは、両面／集約／分割設定画面１２０の確定ボタン１２５を押して入力した情報を確定させる。
【００９３】
続いて、Ｓ１３４において、受付部２４は、元原稿方向情報、元原稿両面印刷情報、両面印刷の設定項目に対する設定値および集約印刷の設定項目に対する設定値を受け付ける。そして、受付部２４は、受け付けたこれらの情報を特定部２８に通知する。
【００９４】
Ｓ１３５において、特定部２８は、通知された情報を記憶して、受付部２４に応答情報を与える。続いて、Ｓ１３６において、受付部２４は、特定部２８から応答情報を受け取ると、メイン設定画面１１０を表示部９４０ａに表示させる。
【００９５】
続いて、Ｓ１４１において、両面印刷の設定項目および集約印刷の設定項目に対する設定値を受け付けた後、ユーザは、表示部９４０ａを操作することにより、ステープル設定画面１４０またはパンチ設定画面１５０の表示要求をする。
【００９６】
表示制御部２２は、ステープル設定画面１４０またはパンチ設定画面１５０の表示要求を受け付けた場合、Ｓ１４２において、推奨設定値の特定要求を特定部２８に与える。
【００９７】
続いて、Ｓ１４３において、特定部２８は、記憶している元原稿方向情報、元原稿両面印刷情報、両面印刷の設定項目に対する設定値および集約印刷の設定項目に対する設定値に基づき、推奨設定値を特定する。例えば、特定部２８は、ステープル設定画面１４０の表示要求を受け付けた場合には、ステープルの設定項目に対して受付可能な複数の設定値のうちの、ユーザに推奨する推奨設定値を特定する。また、例えば、特定部２８は、パンチ設定画面１５０の表示要求を受け付けた場合には、パンチの設定項目に対して受付可能な複数の設定値のうちの、ユーザに推奨する推奨設定値を特定する。
【００９８】
続いて、Ｓ１４４において、特定部２８は、特定した推奨設定値を表示制御部２２に与える。続いて、Ｓ１４５において、表示制御部２２は、ステープル設定画面１４０またはパンチ設定画面１５０を表示する。この際、表示制御部２２は、ステープルまたはパンチの設定項目に対する受付可能な複数の設定値の何れか１つをユーザに選択させる選択肢情報に含まれる、推奨設定値を強調する。例えば、表示制御部２２は、ステープル設定画面１４０において、ステープル設定ボタン群１４１の中の推奨設定値を強調する。また、例えば、表示制御部２２は、パンチ設定画面１５０において、パンチ設定ボタン群１５１の中の推奨設定値を強調する。
【００９９】
このように推奨設定値を選択させるための選択肢を強調することにより、表示制御部２２は、適切な設定値（画像を矛盾無く参照できる設定値）を、ユーザに容易に選択させることができる。さらに、推奨設定値ではない設定値も選択可能とするので、表示制御部２２は、ユーザが適切でない設定値の選択を希望する場合には、ユーザの好みに応じた設定値も選択させることができる。
【０１００】
図１０は、ステープル設定画面１４０の表示要求を受け付けた場合における、推奨設定値を特定する処理の流れの一例を示すフローチャートである。例えば、ステープル設定画面１４０の表示要求を受け付けた場合、特定部２８は、図１０の処理を実行して、推奨設定値を特定してもよい。
【０１０１】
まず、Ｓ２１１において、特定部２８は、両面印刷の設定項目に対する設定値が、左右開きの両面印刷を示しているか否かを判断する。左右開きの両面印刷である場合（Ｓ２１１のＹｅｓ）、特定部２８は、処理をＳ２１２に進める。左右開きの両面印刷ではない場合（Ｓ２１１のＮｏ）、特定部２８は、処理をＳ２２０に進める。
【０１０２】
Ｓ２１２において、特定部２８は、集約印刷の設定項目に対する設定値を判断する。集約印刷をしないことを示している場合（Ｓ２１２の集約なし）、特定部２８は、処理をＳ２１３に進める。Ｓ２１３において、特定部２８は、推奨設定値を左上１カ所および左２カ所と特定する。特定部２８は、Ｓ２１３の処理を終えると本フローを終了する。
【０１０３】
左右並びの集約印刷を示している場合（Ｓ２１２のＹｅｓ）、特定部２８は、処理をＳ２１４に進める。左右並び以外の集約印刷を示している場合（Ｓ２１２のＮｏ）、特定部２８は、処理をＳ２１７に進める。
【０１０４】
Ｓ２１４において、特定部２８は、集約印刷の設定項目に対する設定値について、さらに、左から右への並びか否かを判断する。左から右への並びである場合（Ｓ２１４のＹｅｓ）、特定部２８は、処理をＳ２１５に進める。Ｓ２１５において、特定部２８は、推奨設定値を左上１カ所および左２カ所と特定する。左から右への並びではない場合（Ｓ２１４のＮｏ）、特定部２８は、処理をＳ２１６に進める。Ｓ２１６において、特定部２８は、推奨設定値を右上１カ所および右２カ所と特定する。特定部２８は、Ｓ２１５またはＳ２１６の処理を終えると本フローを終了する。
【０１０５】
Ｓ２１７において、特定部２８は、集約印刷の設定項目に対する設定値について、さらに、上から下への並びか否かを判断する。上から下への並びである場合（Ｓ２１７のＹｅｓ）、特定部２８は、処理をＳ２１８に進める。Ｓ２１８において、特定部２８は、推奨設定値を左上１カ所および左２カ所と特定する。上から下への並びではない場合（Ｓ２１７のＮｏ）、特定部２８は、処理をＳ２１９に進める。Ｓ２１９において、特定部２８は、推奨設定値を左下１カ所および左２カ所と特定する。特定部２８は、Ｓ２１８またはＳ２１９の処理を終えると本フローを終了する。
【０１０６】
Ｓ２２０において、特定部２８は、集約印刷の設定項目に対する設定値を判断する。集約印刷をしないことを示している場合（Ｓ２２０の集約なし）、特定部２８は、処理をＳ２２１に進める。Ｓ２２１において、特定部２８は、推奨設定値を左上１カ所および上２カ所と特定する。特定部２８は、Ｓ２２１の処理を終えると本フローを終了する。
【０１０７】
左右並びの集約印刷を示している場合（Ｓ２２０のＹｅｓ）、特定部２８は、処理をＳ２２２に進める。左右並び以外の集約印刷を示している場合（Ｓ２２０のＮｏ）、特定部２８は、処理をＳ２２５に進める。
【０１０８】
Ｓ２２２において、特定部２８は、集約印刷の設定項目に対する設定値について、さらに、左から右への並びか否かを判断する。左から右への並びである場合（Ｓ２２２のＹｅｓ）、特定部２８は、処理をＳ２２３に進める。Ｓ２２３において、特定部２８は、推奨設定値を左上１カ所および上２カ所と特定する。左から右への並びではない場合（Ｓ２２２のＮｏ）、特定部２８は、処理をＳ２２４に進める。Ｓ２２４において、特定部２８は、推奨設定値を右上１カ所および上２カ所と特定する。特定部２８は、Ｓ２２３またはＳ２２４の処理を終えると本フローを終了する。
【０１０９】
Ｓ２２５において、特定部２８は、集約印刷の設定項目に対する設定値について、さらに、上から下への並びか否かを判断する。上から下への並びである場合（Ｓ２２５のＹｅｓ）、特定部２８は、処理をＳ２２６に進める。Ｓ２２６において、特定部２８は、推奨設定値を左上１カ所および上２カ所と特定する。上から下への並びではない場合（Ｓ２２５のＮｏ）、特定部２８は、処理をＳ２２７に進める。Ｓ２２７において、特定部２８は、推奨設定値を左下１カ所および上２カ所と特定する。特定部２８は、Ｓ２２６またはＳ２２７の処理を終えると本フローを終了する。
【０１１０】
図１１は、推奨設定値が強調されたステープル設定画面１４０を示す図である。表示制御部２２は、ステープル設定ボタン群１４１を含むステープル設定画面１４０を表示させる。ステープル設定ボタン群１４１は、ステープルの設定項目に対して受付可能な複数の設定値をリスト状に並べられた選択肢情報である。ステープル設定ボタン群１４１は、リスト状に並べられ選択肢情報に含まれる複数の設定値のうち、何れか１つが選択される。
【０１１１】
そして、表示制御部２２は、推奨設定値を受け取った場合、ステープル設定ボタン群１４１における推奨設定値に対応するボタンを強調する。例えば、表示制御部２２は、ステープル設定画面１４０に、推奨設定値に対応するボタンを強調するための強調マーク２１０を含める。また、例えば、表示制御部２２は、推奨設定値に対応するボタンの色または濃度を、他のボタンの色または濃度と異ならせてもよい。また、表示制御部２２は、推奨設定値に対応するボタンの大きさまたは形状を、他のボタンの大きさまたは形状と異ならせてもよい。
【０１１２】
図１２は、推奨設定値が強調されたパンチ設定画面１５０を示す図である。表示制御部２２は、パンチ設定ボタン群１５１を含むパンチ設定画面１５０を表示させる。パンチ設定ボタン群１５１は、パンチの設定項目に対して受付可能な複数の設定値をリスト状に並べられた選択肢情報である。パンチ設定ボタン群１５１は、リスト状に並べられ選択肢情報に含まれる複数の設定値のうち、何れか１つが選択される。
【０１１３】
そして、表示制御部２２は、推奨設定値を受け取った場合、パンチ設定ボタン群１５１における推奨設定値に対応するボタンを強調する。例えば、表示制御部２２は、パンチ設定画面１５０に、推奨設定値に対応するボタンを強調するための強調マーク２１０を含める。また、例えば、表示制御部２２は、推奨設定値に対応するボタンの色または濃度を、他のボタンの色または濃度と異ならせてもよい。また、表示制御部２２は、推奨設定値に対応するボタンの大きさまたは形状を、他のボタンの大きさまたは形状と異ならせてもよい。
【０１１４】
図１３は、推奨設定値が強調されたプレビュー画面１６０を示す図である。表示制御部２２は、設定画面の一例として、プレビュー画面１６０を表示部９４０ａに表示させてもよい。
【０１１５】
プレビュー画面１６０は、現在の設定値で印刷をした場合における印刷後の用紙を表すプレビュー画像１６１を含む。
【０１１６】
さらに、プレビュー画面１６０は、プレビュー画像１６１における、ステープルまたはパンチの設定項目に対して受付可能な複数の設定値のそれぞれに対応する位置に、複数の選択マーク１６２を含む。例えば、図１３の例において、プレビュー画面１６０は、用紙の上、用紙の左上、用紙の左、用紙の左下および用紙の右のそれぞれに対応する位置に、選択マーク１６２を含む。
【０１１７】
ユーザは、複数の選択マーク１６２のうち何れか１つを、ステープルまたはパンチをする位置として選択することができる。受付部２４は、複数の選択マーク１６２における選択状態を取得することにより、ステープルまたはパンチの設定項目に対する設定値を受け付けることができる。
【０１１８】
さらに、表示制御部２２は、推奨設定値を受け取った場合、複数の選択マーク１６２のうち、推奨設定値に対応する位置の選択マーク１６２を強調する。例えば、表示制御部２２は、推奨設定値に対応する位置の選択マーク１６２の色または濃度を、他の選択マーク１６２の色または濃度と異ならせてもよい。また、例えば、表示制御部２２は、推奨設定値に対応する位置の選択マーク１６２の大きさまたは形状を、他の選択マーク１６２の大きさまたは形状と異ならせてもよい。
【０１１９】
図１４は、複合機１０における設定画面の遷移の第１例を示す図である。複合機１０は、コピー機能が選択された場合、例えば図１４に示す流れで、設定画面を遷移させる。
【０１２０】
まず、Ｓ３１１において、ユーザは、メイン設定画面１１０において、両面／集約／分割ボタン１１２を押す。両面／集約／分割ボタン１１２が押されたことに応じて、表示制御部２２は、両面／集約／分割設定画面１２０を表示させる。
【０１２１】
続いて、ユーザは、両面／集約／分割設定画面１２０において、元原稿方向情報、元原稿両面印刷情報、両面印刷の設定項目に対する設定値および集約印刷の設定項目に対する設定値を選択する。第１例においては、ユーザは、元原稿方向情報として縦置きを選択し、元原稿両面印刷情報として片面印刷を選択し、両面印刷の設定項目として左右開きの両面印刷を選択し、集約印刷の設定項目として、集約印刷をしないことを選択した。
【０１２２】
続いて、Ｓ３１２において、ユーザは、両面／集約／分割設定画面１２０において、確定ボタン１２５を押す。確定ボタン１２５が押されたことに応じて、表示制御部２２は、メイン設定画面１１０を表示させる。
【０１２３】
続いて、Ｓ３１３において、ユーザは、メイン設定画面１１０において、仕上げボタン１１３を押す。仕上げボタン１１３が押されたことに応じて、表示制御部２２は、仕上げ画面１３０を表示させる。
【０１２４】
続いて、Ｓ３１４において、ユーザは、仕上げ画面１３０において、ステープルボタン１３１を押す。ステープルボタン１３１が押されたことに応じて、表示制御部２２は、ステープル設定画面１４０を表示させる。
【０１２５】
ここで、既に、複合機１０は、両面印刷の設定項目および集約印刷の設定項目に対する設定値を受け付けている。このため、表示制御部２２は、ステープル設定ボタン群１４１における推奨設定値に対応するボタンを強調する。例えば、第１例においては、表示制御部２２は、ステープル設定ボタン群１４１における、上１カ所、斜めおよび左２箇所に対応するボタンに星マークを付加することにより強調している。
【０１２６】
このように、表示制御部２２は、両面印刷の設定項目および集約印刷の設定項目に対する設定値を先に選択した場合に、ステープルの設定項目に対する推奨設定値を強調することができる。
【０１２７】
図１５は、複合機１０における設定画面の遷移の第２例を示す図である。複合機１０は、コピー機能が選択された場合、例えば図１５に示す流れで、設定画面を遷移させる。
【０１２８】
まず、Ｓ３２１において、ユーザは、メイン設定画面１１０において、両面／集約／分割ボタン１１２を押す。両面／集約／分割ボタン１１２が押されたことに応じて、表示制御部２２は、両面／集約／分割設定画面１２０を表示させる。
【０１２９】
続いて、ユーザは、両面／集約／分割設定画面１２０において、元原稿方向情報、元原稿両面印刷情報、両面印刷の設定項目に対する設定値および集約印刷の設定項目に対する設定値を選択する。第２例においては、ユーザは、元原稿方向情報として縦置きを選択し、元原稿両面印刷情報として片面印刷を選択し、両面印刷の設定項目として左右開きの両面印刷を選択し、集約印刷の設定項目として、１枚に２枚の画像を含め且つ左方向に画像を並べる印刷を選択した。
【０１３０】
続いて、Ｓ３２２において、ユーザは、両面／集約／分割設定画面１２０において、確定ボタン１２５を押す。確定ボタン１２５が押されたことに応じて、表示制御部２２は、メイン設定画面１１０を表示させる。
【０１３１】
続いて、Ｓ３２３において、ユーザは、メイン設定画面１１０において、仕上げボタン１１３を押す。仕上げボタン１１３が押されたことに応じて、表示制御部２２は、仕上げ画面１３０を表示させる。
【０１３２】
続いて、Ｓ３２４において、ユーザは、仕上げ画面１３０において、ステープルボタン１３１を押す。ステープルボタン１３１が押されたことに応じて、表示制御部２２は、ステープル設定画面１４０を表示させる。
【０１３３】
ここで、既に、複合機１０は、両面印刷の設定項目および集約印刷の設定項目に対する設定値を受け付けている。このため、表示制御部２２は、ステープル設定ボタン群１４１における推奨設定値に対応するボタンを強調する。例えば、第２例においては、表示制御部２２は、ステープル設定ボタン群１４１における、上２カ所および右上１カ所に対応するボタンに星マークを付加することにより強調している。
【０１３４】
このように、表示制御部２２は、両面印刷の設定項目および集約印刷の設定項目に対する設定値を先に選択した場合に、ステープルの設定項目に対する推奨設定値を強調することができる。
【０１３５】
図１６は、複合機１０における設定画面の遷移の第３例を示す図である。複合機１０は、コピー機能が選択された場合、例えば図１６に示す流れで、設定画面を遷移させる。
【０１３６】
続いて、Ｓ３３１において、ユーザは、メイン設定画面１１０において、仕上げボタン１１３を押す。仕上げボタン１１３が押されたことに応じて、表示制御部２２は、仕上げ画面１３０を表示させる。
【０１３７】
続いて、Ｓ３３２において、ユーザは、仕上げ画面１３０において、ステープルボタン１３１を押す。ステープルボタン１３１が押されたことに応じて、表示制御部２２は、ステープル設定画面１４０を表示させる。
【０１３８】
続いて、ユーザは、ステープル設定画面１４０において、ステープルの設定項目に対する設定値を選択する。第３例においては、ユーザは、右上１カ所を選択した。
【０１３９】
続いて、Ｓ３３３において、ユーザは、ステープル設定画面１４０において、ステープル設定画面内戻るボタン１４２を押す。ステープル設定画面内戻るボタン１４２が押されたことに応じて、表示制御部２２は、仕上げ画面１３０を表示させる。
【０１４０】
続いて、Ｓ３３４において、ユーザは、仕上げ画面１３０において、仕上げ画面内戻るボタン１３３を押す。仕上げ画面内戻るボタン１３３が押されたことに応じて、表示制御部２２は、メイン設定画面１１０を表示させる。
【０１４１】
続いて、Ｓ３３５において、ユーザは、メイン設定画面１１０において、両面／集約／分割ボタン１１２を押す。両面／集約／分割ボタン１１２が押されたことに応じて、表示制御部２２は、両面／集約／分割設定画面１２０を表示させる。
【０１４２】
ここで、既に、複合機１０は、ステープルの設定項目に対する設定値を受け付けている。このため、表示制御部２２は、両面印刷の設定項目に対する設定値が選択された場合には、集約印刷の設定項目における推奨設定値に対応するボタンを強調する。反対に、表示制御部２２は、集約印刷の設定項目に対する設定値が選択された場合には、両面印刷の設定項目における推奨設定値に対応するボタンを強調する。
【０１４３】
第３例においては、表示制御部２２は、両面印刷設定ボタン群１２３における、左右開きの両面印刷および上下開きの両面印刷に対応するボタンに星マークを付加することにより強調している。また、表示制御部２２は、集約印刷設定ボタン群１２４における、左方向に画像を並べるボタンに星マークを付加することにより強調している。
【０１４４】
このように、表示制御部２２は、ステープルの設定項目に対する設定値を先に選択した場合に、両面印刷および集約印刷の設定項目に対する推奨設定値を強調することができる。
【０１４５】
以上のように、本実施形態に係る複合機１０は、ユーザから第１項目および第２項目に対する設定値を受け付けた場合、受け付けた第１項目および第２項目に対する設定値に基づき、第３項目に対する推奨設定値を特定する。そして、以上のように、本実施形態に係る複合機１０は、推奨設定値に基づいて、設定画面に含まれる第３項目に対する設定値を受け付けるための情報の表示を制御する。これにより、以上のように、本実施形態に係る複合機１０によれば、第１項目および第２項目に対する設定値を受け付けた後に、第３項目に対する適切な設定値をユーザに容易に選択させることができる。さらに、本実施形態に係る複合機１０によれば、推奨設定値ではない設定値も選択可能とすることにより、ユーザが適切でない設定値の選択を希望する場合には、ユーザの好みに応じた設定値も選択させることもできる。これにより、本実施形態に係る複合機１０によれば、ユーザの負担を軽減することができる。
【０１４６】
なお、複合機１０のコントローラ９１０で実行されるプログラムは、ＲＯＭ等に予め組み込まれて提供される。
【０１４７】
複合機１０のコントローラ９１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４８】
さらに、複合機１０のコントローラ９１０で実行されるプログラムを、インターネット等のネットワークに接続されたコンピュータ上に格納し、ネットワーク経由でダウンロードさせることにより提供するように構成してもよい。また、複合機１０のコントローラ９１０で実行されるプログラムをインターネット等のネットワーク経由で提供または配布するように構成してもよい。
【０１４９】
複合機１０のコントローラ９１０で実行されるプログラムは、上述した各部（表示制御モジュール、受付モジュールおよび特定モジュール）を含むモジュール構成となっており、実際のハードウェアとしてはＣＰＵ（プロセッサ）が上記ＲＯＭからプログラムを読み出して実行することにより上記各部が主記憶装置上にロードされ、表示制御部２２、受付部２４および特定部２８が主記憶装置上に生成されるようになっている。
【０１５０】
以上、本発明の実施形態を説明したが、実施形態は、例として提示したものであり、発明の範囲を限定することは意図していない。これら新規な実施形態は、その他の様々な形態で実施されることが可能である。
【符号の説明】
【０１５１】
１０  複合機
２２  表示制御部
２４  受付部
２６  管理部
２８  特定部
１１０  メイン設定画面
１２０  両面／集約／分割設定画面
１３０  仕上げ画面
１４０  ステープル設定画面
１５０  パンチ設定画面
１６０  プレビュー画面
９１０  コントローラ
９２１  スキャナ部
９２２  プリンタ部
９３０  後処理機構
９３１  ステープル部
９３２  パンチ部
９４０  操作パネル
９４０ａ  表示部
９４０ｂ  操作キー
【先行技術文献】
【特許文献】
【０１５２】
【特許文献１】特開２００９−１８２９１５号公報
【図１】
2020151957.tif 000003
【図２】
2020151957.tif 000004
【図３】
2020151957.tif 000005
【図４】
2020151957.tif 000006
【図５】
2020151957.tif 000007
【図６】
2020151957.tif 000008
【図７】
2020151957.tif 000009
【図８】
2020151957.tif 000010
【図９】
2020151957.tif 000011
【図１０】
2020151957.tif 000012
【図１１】
2020151957.tif 000013
【図１２】
2020151957.tif 000014
【図１３】
2020151957.tif 000015
【図１４】
2020151957.tif 000016
【図１５】
2020151957.tif 000017
【図１６】
2020151957.tif 000018